(57)【特許請求の範囲】
【請求項１】
台車に設けた第一のレール上を着座部に設けたローラが走行して分離可能な入浴用車椅子と、前記第一のレールに対向して第二のレールを設けた座部を有する浴槽とを備えた入浴用設備において、
前記台車に設けられていて前記着座部が台車から移動することを阻止する位置と許容する位置とを選択的にとる係止部材と、
前記座部に設けられていて前記係止部材を押圧することで前記着座部が台車から移動することを許容する位置に前記係止部材を位置させる解除部と
を有する第一のロック機構を備えたことを特徴とする入浴用設備のロック解除装置。
【請求項２】
前記解除部に第三のレールが設けられている請求項１に記載された入浴用設備のロック解除装置。
【請求項３】
前記第一のロック機構は、前記着座部が台車から移動しようとする際に前記係止部材に干渉する位置に設けられた阻止部材と、前記係止部材を阻止部材に干渉する位置に付勢する付勢部材とを更に備え、
前記座部に設けた解除部が係止部材を押圧することで、前記係止部材は付勢部材の付勢力に抗して前記阻止部材に干渉する位置から外れた位置へ退避させるようにした請求項１または２に記載された入浴用設備のロック解除装置。
【請求項４】
前記入浴用車椅子の台車と前記浴槽との一方に嵌合穴が設けられ、他方に前記嵌合穴に嵌合可能な嵌合ピンが設けられた第二のロック機構を備えた請求項１乃至３のいずれかに記載された入浴用設備のロック解除装置。
【請求項５】
前記座部に設けられた前記解除部は折り畳み可能とされ、折り畳み状態で前記座部は浴槽内に保持され、開いた状態で前記解除部は浴槽の外側に突出するようにした請求項１乃至４のいずれか１項に記載された入浴用設備のロック解除装置。
【発明の詳細な説明】
【技術分野】
【０００１】
本発明は、入浴用車椅子や入浴用担架等の台車から着座部を分離して浴槽に移動させて、例えば身体の不自由な人等を入浴させる際に用いられる入浴用設備のロック解除装置に関する。
【背景技術】
【０００２】
一般に、体が不自由で介助が必要な者（以下、要介助者と記す。）を入浴させる際に、要介助者等を浴槽に移動するために、例えば入浴用車椅子が使用される。入浴用車椅子は、下部にキャスターが設けられて上部に第１のレールが二列平行に付設されている台車と、下部に車輪が設けられている椅子部とからなるものである。
【０００３】
これらは、椅子部の車輪が第１のレールの上を走行することで、椅子部が台車上を前後または左右に移動可能になっている。そして、この入浴用車椅子は、浴槽に横付けされ、入浴用車椅子にある第１のレールと浴槽側にある第２のレールとが同一直線状になるように位置合わせされることで、椅子部が車輪を介して第１のレールから第２のレールへ移動して浴槽に移されるようになっている。
この入浴用車椅子に用いられる浴槽は、前面に開口部が形成され、扉部が開口部に対して上下動することで開閉可能とされている。そして、扉部を下方に移動させた状態で、入浴用車椅子の椅子部を開口部を通して浴槽内に移動させるようになっている。
入浴用車椅子の台車から椅子部を分離して、第１のレールから浴槽内にある第２のレールに移動させる際、第一のレールと第二のレールの間に位置する浴槽の側面付近で椅子部が落下する事故が起こることがあった。
【０００４】
このような入浴用車椅子と浴槽とを備えた入浴設備として、例えば特許文献１に開示されたものがある。
この入浴用設備は、入浴用車椅子の台車が入浴用受け台の所定位置につき合わされたとき、台車の上部に付設された第１のレールと入浴用受け台の上部に付設された第２のレールとが同一直線状に配置されて、第１のレール上を走行可能な車輪を有する椅子部が台車と入浴用受け台との間を移動可能になる。入浴用車椅子には、椅子部が第１のレールに沿って台車から離間するように移動するのを阻止するロック機構が設けられている。このロック機構は、台車が第１のレールと第２のレールとが合致するよう入浴用受け台の所定位置につき合わされることで解除される。
【先行技術文献】
【特許文献】
【０００５】
【特許文献１】特開２００４−１５４２４１号公報
【発明の概要】
【発明が解決しようとする課題】
【０００６】
しかしながら、特許文献１に記載された発明では、ロックの解除機構として、入浴用受け台の側面の台車ガイド部に入浴用車椅子の位置決め部を突き当てた位置決め状態で、連結穴に係止ロッドの下端部を挿入して入浴用受け台と台車とを連結する。そして、ロック機構として、入浴用受け台に設けたレバー係合部から、台車に設けたレバーを連動させて一次係合板を下方に回動させて二次係合板を下方に押すことで、係止部材を付勢部材の弾性力に抗して下方に下げてロック機構を非係止状態に切り換えるようにしている。これにより、椅子部を台車に設けた第１のレールから入浴用受け台の第２のレールに移動可能にしている。
そのため、ロック解除機構の構造が複雑であり、ロック解除機構の組立に手間がかかる上に製造コストが高いという欠点がある。
また、特許文献１に記載された入浴設備では、入浴用受け台が浴槽内に設けられている場合には、入浴用車椅子と入浴用台車の間に浴槽の側面が位置するため、この部分から椅子部が落下するおそれがあり、上述した問題が改善されていなかった。
【０００７】
本発明は、このような実情に鑑みて、簡単な構成でロックの解除を行えると共に着座部を落下させることなく浴槽に移動できるようにした入浴用設備のロック解除装置を提供することを目的とする。
【課題を解決するための手段】
【０００８】
本発明による入浴用設備のロック解除装置は、台車に設けた第一のレール上を着座部に設けたローラが走行して分離可能な入浴用車椅子と、第一のレールに対向して第二のレールを設けた座部を有する浴槽とを備えた入浴用設備において、台車に設けられていて着座部が台車から移動することを阻止する位置と許容する位置とを選択的に取り得る係止部材と、座部に設けられていて係止部材を押圧することで着座部が台車から移動することを許容する位置に係止部材を位置させる解除部とを有する第一のロック機構を備えたことを特徴とする。
本発明によれば、浴槽と入浴用車椅子を正規位置にセットし、浴槽に位置する座部に設けた解除部によって、入浴用車椅子の台車に設けた係止部材を押圧することで、係止部材を着座部が台車から移動することを阻止する位置から許容する位置へ移動させて、着座部と台車とのロックを解除でき、着座部を台車に設けた第一のレールから座部に設けた第二のレールまで移動させることができる。その際、座部の解除部が台車の係止部材に当接されるため、着座部を確実に台車から解除部を介して浴槽内の座部に移動できる。
【０００９】
また、解除部に第三のレールが設けられていることが好ましい。
これにより、着座部を台車の第一のレールから解除部の第三のレールを介して座部の第二のレールへガイドして移動できる。このとき、解除部の第三のレールは台車の第一のレールと座部の第二のレールとの間を接続する中間レールを構成する。
【００１０】
また、第一のロック機構は、着座部が台車から移動しようとする際に係止部材に干渉する位置に設けられた阻止部材と、係止部材を阻止部材に干渉する位置に付勢する付勢部材とを更に備え、座部の解除部が係止部材を押圧することで、係止部材は付勢部材の付勢力に抗して阻止部材に干渉する位置から干渉しない位置へ退避させることが好ましい。
本発明によれば、浴槽内の座部に設けた解除部によって入浴用車椅子の台車に設けた係止部材を押圧することで、係止部材を付勢部材の付勢力に抗して着座部の阻止部材に干渉する位置から干渉しない位置へ移動させることで、着座部が台車から外れて第一のレールを移動する際に着座部の阻止部材に係止部材が当接しないから、着座部を第一のレールから座部に設けた第二のレールまで移動させることができる。
【００１１】
また、入浴用車椅子の台車と浴槽との一方に嵌合穴が設けられ、他方に嵌合穴に嵌合可能な嵌合ピンが設けられた第二のロック機構を備えることが好ましい。
第二のロック機構によって入浴用車椅子の台車と浴槽を正規位置にセットして固定できる。
しかも、入浴用車椅子の台車に嵌合穴が設けられ、浴槽に嵌合穴に嵌合可能な嵌合ピンが設けられることが好ましい。
この構成を採用すれば、ロック状態で台車を不用意に上方に動かしたとしても、台車に設けた嵌合穴が浴槽の嵌合ピンから離脱することを確実に防止できる。
【００１２】
また、座部に設けられた解除部は折り畳み可能とされ、折り畳み状態で座部は浴槽内に保持され、開いた状態で解除部は浴槽の外側に突出するようにしてもよい。
本発明によれば、解除部を折り畳めば座部を浴槽内で入浴する際、上下動させても浴槽の側面と干渉することがなく、また、解除部を開けば浴槽の側面を跨いで座部と台車を接続させて第一のロック機構の解除と着座部の移動を確実に行える。
【発明の効果】
【００１３】
本発明による入浴用設備のロック解除装置によれば、浴槽と入浴用車椅子をセットし、浴槽の座部に設けた解除部によって、入浴用車椅子の台車に設けた係止部材を押圧することで、係止部材を着座部が台車から移動することを阻止する位置から許容する位置へ移動させることができて、着座部と台車とのロックを解除でき、着座部を台車に設けた第一のレールから座部に設けた第二のレールまで移動させることができる。
しかも、第一のロック機構の構成が簡単であり、ロックの解除操作も容易である。また、浴槽内に位置する座部に解除部を設けたから、解除部は浴槽の側面を跨いで外側の入浴用車椅子まで延びることになり、着座部を台車から解除部を通して浴槽内の座部に確実に移動でき、着座部が落下したりレールから外れたりすることを防止できる。
しかも、ロックの解除動作が簡単であり、ロック解除装置の構成が簡単で製造が容易である。
【図面の簡単な説明】
【００１４】
【図１】本発明の実施形態による浴槽と入浴用車椅子からなる入浴設備の斜視図である。
【図２】図１に示す入浴設備の平面図である。
【図３】図１に示す入浴用車椅子の要部拡大図である。
【図４】台車と座部と解除部のレールを示す要部拡大平面図である。
【図５】入浴用車椅子の椅子部が台車から座部へ移動した状態を示す要部斜視図である。
【図６】図５に示す第一のレールとローラとの関係を示す拡大図である。
【図７】第一のロック機構の拡大図であり、（ａ）は図３に示すＡ部の要部拡大図、（ｂ）は同図（ａ）をＢ方向から見た要部断面図である。
【図８】入浴用車椅子の下部に設けた嵌合穴と浴槽の下部に設けた嵌合ピンとを示す第二のロック機構の説明図である。
【発明を実施するための形態】
【００１５】
以下、本発明の実施の形態について、図面に基づいて説明する。
図１乃至図３に示す入浴設備１は浴槽２の側面３に入浴用車椅子４を係合させた状態を示すものである。浴槽２は側面３の略上半分である上部に開口部５が形成され、開口部５を閉鎖するための扉部６がスライドして上下動可能に設けられている。扉部６が下側に位置する状態で、浴槽２の底部２ａは側面３の開口部５より下方に位置している。開口部５を有する側面３に対向する他方の側面７には浴槽２の容量の半量の湯を溜めておくためのタンク８が設けられている。
図１及び図２において、他方の側面７には上下動可能なリフト１０が設けられ、リフト１０には左右方向に揺動可能なアーム１１が設けられている。アーム１１はリンク機構を構成しており、その下端部にはシート上の座部１２が設けられている。座部１２はアーム１１で揺動した左右両端の位置で側面３に設けた開口部５の下端面とほぼ同一高さに支持されている。これにより、座部１２に要介助者等の入浴者が座るための図示しない受け台を設けた場合、側面３の開口部５に対して左右方向のいずれの向きからも入浴可能であり、入浴者に身体の片側に障害等がある場合等に選択的な向きで入浴可能である。
【００１６】
そして、この座部１２はアーム１１の支持枠１１ａにヒンジ等で上側に折り曲げ可能に取り付けられている。更に、座部１２のアーム部１１とは反対側の端部側は図示しないヒンジ等で上方に折り曲げ可能な折り曲げ部１２ａが設けられ、この折り曲げ部１２ａを介して解除部１５が接続されている（図４参照）。座部１２の上面には一対のレール１４、１４が形成されており、解除部１５にはレール１６，１６が設けられており、折り曲げ部１２ａを除いて座部１２と解除部１５のほぼ全長に亘ってレール１４，１６が延びている。
座部１２の解除部１５は、その自由端部が幅広の中央部１５ａと中央部１５ａより後退したレール１６、１６を支持する両側の側部１５ｂ、１５ｂとを有している。解除部１５は略水平に広げた状態で浴槽２の側面３の上端部を超えて外側に若干突出しており、入浴時にはリフト１０によって下降させることで側面３の上端部に当接して折り曲げ部１５ａで上方に折り曲げられる状態になり、浴槽２の側面３の内側に納まる。
【００１７】
次に、入浴用車椅子４について説明する。
この入浴用車椅子４は、車輪付きの台車１７と、台車１７上に水平方向へ移動可能に取り付けられた着座部としての椅子部１８とを備える。台車１７は、平面視略コの字形状に組まれた台車フレーム２１の各隅部から脚部１９が延び、その下端に車輪２０が取り付けられている。
図３及び図４に示すように、台車１７の上端には台車フレーム２１に横架材２２が架設され、横架材２２上には椅子部１８を移動可能に支持するレール２３が横架材２２の長手方向に直交する向きで二列平行に架設されている。そして、浴槽２の座部１２に対向して正規位置に入浴用車椅子４がロックされた状態で、図４に示すように、座部１２のレール１４、１４と解除部１５のレール１６，１６と台車１７のレール２３、２３とがそれぞれ同一直線上に配列された状態になる。そのため、解除部１５のレール１６は台車１７のレール２３と座部１２のレール１４との間を接続する中間レールを構成する。
【００１８】
図５及び図６において、椅子部１８の裏面には、各レール２３の位置に対向してローラ部２５がそれぞれ設けられている。ローラ部２５は枠部２６の下部にレール２３、１６，１４の上面を走行する第一ローラ２７とレール２３、１６，１４の外側の側面を走行する第二ローラ２８とが設けられている。
そして、図４乃至図６に示す台車１７において、一方のレール２３の浴槽２側先端近傍の内側には台車フレーム２１に第一のロック機構３０が設けられている。
【００１９】
次に、第一のロック機構３０について図７を中心により説明する。
図７（ａ）は図３に示すＡ部の拡大図であり、図７（ｂ）は図７（ａ）においてＢ方向から見た図である。第一のロック機構３０は、台車１７の一方のレール２３の側部に設けた筐体３１内に支軸３２を中心に揺動可能な係止部材３３が設けられている。係止部材３３は、上方に突出する係止部３４ａと係止部３４ａより低く形成された受け部３４ｂとからなる段付き形状を有するストッパー部３４と、ストッパー部３４に連結された基部３５とを有している。
ストッパー部３４は係止部３４ａと受け部３４ｂの段付き部分が筐体３１の上面に形成された開口３１ａから上方に突出している。また、基部３５は、支軸３２が貫通して支軸３２を中心に回動可能に支持され、支軸３２は筐体３１内に設けられた支持枠３６を貫通して支持されている。そして、基部３５において、支軸３２の斜め下方に植設されたピン３７と筐体３１の内面に設けた軸部３８とに付勢部材としてコイルばね３９が取り付けられている。
【００２０】
そのため、係止部材３３は、常態において、図７（ａ）に実線で示すように、コイルばね３９の付勢力によって筐体３１の内面に設けた当接面３１ｂに当接した状態で略垂直に保持され、開口３１ａから突出するストッパー３４の係止部３４ａと受け部３４ｂは略垂直位置にあり、係止部３４ａは、座部１２における解除部１５の中央部１５ａと側部１５ｂとの間の凹部の延長線上に位置する。
ここで、図７（ａ）に示すように、略垂直状態になるストッパー部３４に対して例えば左側に係止部材３３の回動中心である支軸３２が設けられ、右側に係止部材３３を反時計回り方向に付勢するコイルばね３９が設けられている。そのため、解除部１５の中央部１５ａが係止部材３３の受け部３４ｂを押すことで、係止部材３３はコイルばね３９の付勢力に抗して支軸３２回りに時計回りに回動して、二点鎖線で示すように係止部３４ａが開口３１ａの端面に当接する傾斜位置に保持される。
【００２１】
また、図７（ａ）及び図３において、入浴用車椅子４の椅子部１８の下面には阻止部材４１が下向きに突出して形成されている。この阻止部材４１はレール２３の延在方向に隣接する位置に設けられ、第一のロック機構３０におけるストッパー部３４の係止部３４ａと干渉する位置に設けられている。
そのため、第一のロック機構３０において、ストッパー部３４の係止部３４ａが垂直位置にある場合には、椅子部１８を台車１７から外してレール２３上を走行させようとしても、阻止部材４１が台車１７に設けたストッパー部３４の係止部３４ａに当接して移動を阻止される。そして、ストッパー部３４が傾斜位置にある場合には係止部３４ａが阻止部材４１の進路を外れるために、椅子部１８が台車１７から外れることを許容する。
【００２２】
次に、第二のロック機構４３について、図８により説明する。
第二のロック機構４３は、浴槽２と入浴用車椅子４の台車１７の下部に設けられた連結機構である。台車１７の側部に設けた２本の脚部１９、１９間の下部には、台車フレーム２１から延びる階段状に形成された係合板４４が片持ち支持されている。係合板４４は台車フレーム２１内で例えば下方に湾曲して自由端部が台車フレーム２１から外側に突出して更に下方へ傾斜するガイド部４４ａとされている。この係合板４４のガイド部４４ａの近傍には嵌合穴４５が形成されている。
係合板４４は台車フレーム２１に片持ち支持されているため、自由端部であるガイド部４４ａや嵌合穴４５の領域には弾性が付与されており、この係合板４４は弾性移動可能なその自由端部と台車フレーム２１との間に弾性部材として例えばコイルばね４６が連結されている。また、コイルばね４６の前方には、台車フレーム２１に傾斜カバー４７が取り付けられている。
【００２３】
一方、浴槽２の開口部５を設けた側面３の下部には支持フレーム４９が扉部６の下側に突出しており、この支持フレーム４９の下面には、係合板４４の嵌合穴４５に嵌合可能な嵌合ピン５０が設けられている。そのため、入浴用車椅子４を浴槽２に位置決め固定するために、入浴用車椅子４の側部を浴槽２の側面３に保持して、係合板４４のガイド部４４ａに設けた嵌合穴４５を浴槽２に設けた支持フレーム４９の嵌合ピン５０に嵌合させる。なお、嵌合穴４５に嵌合ピン５０を嵌合させるためのガイド部を浴槽２と台車１７の一方または両方に設けてもよい。
また、第二のロック機構４３における嵌合ピン５０と係合板４４の嵌合穴４５の嵌合状態を解除するフットレバー５１がフレーム４４に設けられている（図１参照）。
また、図３、図５に示すように、入浴用車椅子４の椅子部１８には、椅子部１８を台車１７に連結させる連結レバー５２が設けられている。そして、この連結レバー５２は椅子部１８が座部１２に移動した状態で、椅子部１８の連結レバー５２を座部１２に連結させて固定する連結孔部５３が設けられている（図４参照）。
【００２４】
本実施形態による入浴用設備１のロック解除装置は上述の構成を備えており、次に入浴時に要介助者が着座する入浴用車椅子４の椅子部１８を浴槽２の座部１２に移動させる方法について説明する。
まず、図１及び図２に示すように、浴槽２の側面３に設けた扉部６を下方にスライドさせて開口部５を開放状態に保持し、浴槽２内で開口部５の下部付近に位置する座部１２のレール１４の延長線上に台車１７のレール２３が位置するように入浴用車椅子４を移動させる。
そして、図８において、入浴用車椅子４の側部を浴槽２の側面３に対向させて接近させ、台車１７の係合板４４のガイド部４４ａを浴槽２の下部に設けた支持フレーム４９の嵌合ピン５０に突き当て、係合板４４を弾性変形させて嵌合穴４５に嵌合ピン５０を嵌合させる。これによって、入浴用車椅子４の側部が浴槽２の側面３に位置決めされて固定される。
そして、図示しないセンサーによって、第二のロック機構４３において嵌合穴４５に嵌合ピン５０が嵌合された状態であることを確認し、入浴用車椅子４の椅子部１８を台車１７から分離でき得る状態にする。
【００２５】
この状態で、浴槽２内の座部１２は解除部１５が折り畳み状態にあると、要介助者が着座する入浴用車椅子４の椅子部１８を台車１７から分離してレール２３、２３に沿って座部１２に移動させようとしても、図７に示すように、第一ロック機構３０における係止部材３３のストッパー部３４が垂直位置にあり、椅子部１８の下部に設けた阻止部材４１の進路に位置するため阻止部材４１が係止部３４ａに当接する。そのため、椅子部１８の移動は阻止される。
この状態から、座部１２の解除部１５を外側に開いて水平状態にすると、図７（ａ）、（ｂ）において、解除部１５は入浴用車椅子４の台車１７に設けたストッパー部３４の受け部３４ｂに載せられ、その重量によってストッパー部３４が押されるため、係止部材３３はコイルばね３９の付勢力に抗して支軸３２を中心に図７（ａ）で時計回りに回動し、二点鎖線で示すように、開口部３１ａの端面に当接する傾斜位置に逃げる。これによって係止部材３３は阻止部材４１の進路から外れる。
【００２６】
そして、台車１７と椅子部１８を固定させる連結レバー５２（図３参照）を外すことで、椅子部１８を浴槽２の座部１２方向に押すと、椅子部１８の裏面枠部２６に設けたローラ部２５の一対の第一ローラ２７と第二ローラ２８をレール２３の上面と外側面に沿って走行させるため、椅子部１８が台車１７から離れて略同一直線上に位置するレール２３からレール１６を介してレール１４へ移動して座部１２上に位置させられる。そして、連結レバー５２をレール１４近傍に設けた孔部５３に係合させて、椅子部１８を座部１２にロックする。
この状態で、扉部６を上方に引き上げて開口部６を閉鎖させ、タンク８から湯を浴槽２内に移動させて要介助者を入浴させることができる。なお、フットレバー５１を操作して第二のロック機構４３における台車１７と浴槽２との係合を解除できる。
なお、入浴終了後に要介助者を載せた椅子部１８を入浴用車椅子４の台車１７に戻すには、上述の操作と逆の手順で操作すればよい。
【００２７】
上述のように本実施形態による入浴用設備のロック解除装置によれば、第一のロック機構３０を設けたから、浴槽２に入浴用車椅子４を正規位置にセットして、座部１２の解除部１５を浴槽２の側面３を跨いで入浴用車椅子４のストッパー３４の受け部３４ｂに載せることで、ストッパー３４をロック位置から外すことができて椅子部１８を台車１７から解除部１５を介して浴槽２内の座部１２に移動させることができる。
しかも、第一のロック機構３０の構成が簡単であり、ロックの解除操作も容易である。
【００２８】
また、浴槽２内に位置する座部１２に解除部１５を設けたから、解除部１５を開くと浴槽２の側面３を跨いで外側の入浴用車椅子４まで延び、しかも解除部１５にもレール１６が設けられているから、解除部１５のレール１６は台車１７のレール１４と座部１２のレール２３との間を接続する中間レールを構成し、椅子部１８を台車１７のレール２３，解除部１５のレール１６，座部１２のレール１４へ確実に移動させることができ、誤って椅子部１８が落下することを確実に防止できる。
そして、台車部１７と椅子部１８とのロックを解除する解除部１５が座部１２の外側に位置するために座部１２に椅子部１８を導入し易いという利点もある。
【００２９】
しかも、本実施形態による入浴用設備１のロック解除装置によれば、第二のロック機構４３で浴槽２と入浴用車椅子４を正規位置に固定した後でなければ、第一のロック機構３０による台車１７から椅子部１８の分離と椅子部１８の移動を行うことが出来ないため、操作が確実で安全である。
また、第二のロック機構４３について、従来では、入浴用車椅子４側に嵌合ピン５０を設け、浴槽２側に嵌合穴４５を設けた構成であり、車椅子４は軽量であるため、例えば浴槽２の座部１２から椅子部１８を移動させる際等、台車１７が上方に回動して嵌合ピン５０が嵌合穴から外れることがあった。しかし、本実施形態による第二のロック機構４３によれば、台車１７側に嵌合穴４５を設け、浴槽２側に嵌合ピン５０を設けたから、台車１７が上方に回動したとしても、嵌合ピン５０が嵌合穴４５から外れることがなく操作の安全性が高まる。
【００３０】
以上、本発明の実施の形態について説明したが、本発明は上記した実施の形態に限定されるものではなく、その趣旨を逸脱しない範囲内で適宜変更可能である。
例えば、上述の実施形態において、入浴用車椅子４を浴槽２の正規位置にセットした状態で、座部１２に設けた解除部１５を折り畳み状態から開くようにしたが、これに代えて、座部１２は最初から解除部１５が水平方向に開いた状態で用いてもよい。この場合でも、入浴用車椅子４を第二のロック機構４３で正規位置にセットすることで、解除部１５はストッパー３４の受け部３４ｂの上に載ることで、係止部材３３を阻止部材４１の進路から外れた傾斜位置へ移動できる。
【００３１】
また、上述の実施形態では浴槽２の側面３に開口部５を設けたが、開口部５を設けずに浴槽上面に座部１２を位置させて台車１７から椅子部１８を移動可能に設定してもよい。また、浴槽２の底部は開口部５の下部と略同一位置に設定してもよい。
また、上述の実施形態において、入浴用車椅子４の台車１７のレール２３は第一のレールを構成し、座部１２のレール１４は第二のレール、解除部１５のレール１６は第三のレールを構成する。また、椅子部１８は着座部を構成する。  
また、本発明の本実施の形態では、入浴用車椅子４について説明したが、入浴用車椅子４に代えて、ストレッチャー（台車）と担架本体（着座部）とから構成される入浴用担架にも、本実施の形態の構成を採用できる。
【符号の説明】
【００３２】
１  入浴用設備
２  浴槽
３  側面
４  入浴用車椅子
５  開口部
１２  座部
１４  レール（第二のレール）
１５  解除部
１５ａ  中央部
１６  レール（第三のレール）
１７  台車
１８  椅子部
２３  レール（第一のレール）
３０  第一のロック機構
３２  支軸
３３  係止部材
３４  ストッパー
３４ａ  係止部
３４ｂ  受け部
３９  コイルばね
４１  阻止部材
４３  第二のロック機構
４５  嵌合穴
５０  嵌合ピン
【図１】
0005542601.tif 000002
【図２】
0005542601.tif 000003
【図３】
0005542601.tif 000004
【図４】
0005542601.tif 000005
【図５】
0005542601.tif 000006
【図６】
0005542601.tif 000007
【図７】
0005542601.tif 000008
【図８】
0005542601.tif 000009